(57)【要約】【課題】新築または中古の建物の壁面部や天井面部等に設けることによって、建物全体や、建物の壁面部や天井面部等の歪みや傾きを簡単に修正することができる筋交いユニットを提供することにある。【解決手段】複数の縦軸部材２と横軸部材３とを互いにヒンジ接続して形成した四角形状の枠体１１と、ターンバックル４を備えて上記の枠体１１の対向する縦軸部材２または横軸部材３に、各端部を固定またはヒンジ接続した筋交い部材５とを備え、さらに、上記の枠体１１を構成する縦軸部材２および／または横軸部材３には固定具を挿入する孔を備えている。【選択図】  図１
2005315010.tif 000002
【特許請求の範囲】
【請求項１】
複数の縦軸部材と横軸部材とを互いにヒンジ接続して形成した四角形状の枠体と、ターンバックルを備えて上記の枠体の対向する縦軸部材または横軸部材に、各端部を固定またはヒンジ接続した筋交い部材とを備え、さらに、上記の枠体を構成する縦軸部材および／または横軸部材には固定具を挿入する孔を備えていることを特徴とする筋交いユニット。
【請求項２】
複数の縦軸部材と横軸部材とを互いにヒンジ接続して複数の四角枠部の連なるように形成した四角形状の枠体と、ターンバックルを備えて上記の各四角枠部の対向する縦軸部材または横軸部材に、各端部を固定またはヒンジ接続する複数の筋交い部材とを備え、さらに、上記の枠体を構成する縦軸部材および／または横軸部材には固定具を挿入する孔を備えていることを特徴とする筋交いユニット。
【請求項３】
枠体は、変形四角形状であることを特徴とする請求項１記載の筋交いユニット。
【請求項４】
枠体は、変形四角形状を有する複数の四角枠部の連なる四角形状であることを特徴とする請求項２記載の筋交いユニット。
【請求項５】
縦軸部材と横軸部材とをコ状にヒンジ接続して形成した１対のコ状枠体と、ターンバックルを備えて上記の所望間隔を以って対峙させるコ状枠体の対応する縦軸部材または横軸部材に、各端部を固定またはヒンジ接続する複数の筋交い部材とを備え、さらに、上記のコ状枠体を構成する縦軸部材および／または横軸部材には固定具を挿入する孔を備えていることを特徴とする筋交いユニット。
【発明の詳細な説明】
【技術分野】
【０００１】
本発明は、各種の新築または中古の建物の壁面部や天井面部等に設ける筋交いユニットに関する。
【背景技術】
【０００２】
従来、木造軸組の建物において、例えば、土台と柱と梁で囲繞される壁面空間部に、筋交いを設けたりパネルを設けたりして水平耐力を強化している。また、下記の特許文献１や特許文献２に開示のように、鋼材を溶接して形成した矩形状のフレームに筋交いを溶接して設け、木造軸組の上記の壁面空間部に上記のフレームをはめ込んで水平耐力を高め、耐震性能を向上させる工法も提案されている。
【０００３】
【特許文献１】特開２００３−２５３７６０号公報
【特許文献２】特開平１１−２２２００４号公報
【発明の開示】
【発明が解決しようとする課題】
【０００４】
しかしながら、従来のように建物の壁面部を構成するのに、柱と柱の間に筋交いやパネルを設け、筋交いやパネルの端部を柱や梁等に釘で打ちつけたり、固定金具を介してボルト・ナットで固定した構成では、確かに耐震性を高める効果はあるが、台風や地震等によって建物全体や、壁面部等が傾いたり歪んだりした場合に、その傾きや歪みを修正するとなると容易に行える構成ではなかった。また、新築中の建物の壁面部等の傾きや歪みを少し修正したいと思っても、簡単に修正することができなかった。
【０００５】
さらに、鋼材を溶接した矩形状のフレームに筋交いを溶接して設けたものを、柱と柱の間に設けた場合も、建物を壁面部の水平耐力を高め耐震性を向上させることはできるが、上記と同様に傾きや歪みを容易に修正することは困難であった。
【０００６】
本発明は上記のような点に鑑みて開発されたものである。その目的とするところは、新築または中古の建物の壁面部や天井面部等に設けることによって、建物全体或いは建物の壁面部や天井面部等の歪みや傾きを簡単に修正することができる筋交いユニットを提供することにある。
【課題を解決するための手段】
【０００７】
本発明は上記のような目的を有効に達成するために、次のような構成にしてある。すなわち、
請求項１に記載の本発明の筋交いユニットは、複数の縦軸部材と横軸部材とを互いにヒンジ接続して形成した四角形状の枠体と、ターンバックルを備えて上記の枠体の対向する縦軸部材または横軸部材に、各端部を固定またはヒンジ接続した筋交い部材とを備え、さらに、上記の枠体を構成する縦軸部材および／または横軸部材には固定具を挿入する孔を備えていることを特徴とする構成にしてある。
【０００８】
請求項２に記載の本発明の筋交いユニットは、複数の縦軸部材と横軸部材とを互いにヒンジ接続して複数の四角枠部の連なるように形成した四角形状の枠体と、ターンバックルを備えて上記の各四角枠部の対向する縦軸部材または横軸部材に、各端部を固定またはヒンジ接続する複数の筋交い部材とを備え、さらに、上記の枠体を構成する縦軸部材および／または横軸部材には固定具を挿入する孔を備えていることを特徴とする構成にしてある。
【０００９】
請求項３に記載の本発明の筋交いユニットは、請求項１に記載の筋交いユニットの構成において、枠体は、変形四角形状であることを特徴とする構成にしてある。
【００１０】
請求項４に記載の本発明の筋交いユニットは、請求項２に記載の筋交いユニットの構成において、枠体は、変形四角形状を有する複数の四角枠部の連なる四角形状であることを特徴とする構成にしてある。
【００１１】
請求項５に記載の本発明の筋交いユニットは、縦軸部材と横軸部材とをコ状にヒンジ接続して形成した１対のコ状枠体と、ターンバックルを備えて上記の所望間隔を以って対峙させるコ状枠体の対応する縦軸部材または横軸部材に、各端部を固定またはヒンジ接続する複数の筋交い部材とを備え、さらに、上記のコ状枠体を構成する縦軸部材および／または横軸部材には固定具を挿入する孔を備えていることを特徴とする構成にしてある。
【発明の効果】
【００１２】
本発明の筋交いユニットでは、例えば土台と、土台の上に所定間隔を以って設けた対峙する柱と、この柱を繋ぐ上部の梁とによって囲繞される四角形状の空間に、枠体の両縦軸部材を両柱に沿わすとともに、下部の横軸部材を土台の上面に沿わせ、かつ上部の横軸部材を梁の下面に沿わせて、四角形状の枠体をはめ込み、両側の柱に対して縦軸部材に開けた孔と一致する位置に貫通孔を開け（または開けておき）、または／および梁に対して横軸部材に開けた孔と一致する位置に貫通孔を開け（または開けておき）、ボルトまたはスクリューボルト等の固定具を縦軸部材および／または横軸部材の孔に挿入またはねじ込み、ボルトを挿入した場合はナットで締め付け固定し、スクリューボルトの場合は上記の部材に直接固定する。また、土台を載置した布基礎から土台に開けた孔を通って突出する各アンカーボルトは、下部の横軸部材の孔に通してナットを取り付け、土台にこの横軸部材を固定する。また、上記の孔から布基礎に打ち込んだアンカーボルトに対してもナットを取り付けて、土台にこの横軸部材を固定する。このようにして本発明の筋交いユニットを建物に設けることにより、柱にかかる水平力が筋交い部材に分散されて水平耐力を高めることができ、耐震性を強化でき、かつ、地震や台風等で柱や梁等が傾いたり歪んだりした場合にも、各縦軸部材と各横軸部材とはヒンジ接続してあるので、筋交いのターンバックルを回して筋交いの引張り力を適宜調整することにより、多くの人手を必要とすることなく、容易にかつ短時間で家屋全体や、各部の壁面部や天井部等の傾きや歪みを修正することができる。また、新築の家屋に設けた場合は、建築中の壁面部や天井部等の傾きや歪みを、ターンバックルを調整して簡単に修正することができる。
【００１３】
また、複数の四角枠部の連なるように形成した四角形状の枠体と各四角枠部に設けたターンバックル付きの筋交いからなる本発明の筋交いユニットでは、建物における広い空間の壁面部分に設けることができ、水平力をさらに分散させて水平耐力を高め、耐震性を強化できる。また、上記と同様に、柱や梁等の傾きや歪みを、各ターンバックルを操作することにより容易に修正することができる。また、建物の間口の狭い箇所に、複数の四角枠部の連なる本発明の筋交いユニットを設けることによって、広い間口の箇所に設けた場合に比べ同等以上の耐力を発揮することができる。
【００１４】
また、枠体が変形四角形状、または、変形四角形状を有する複数の四角枠部の連なる四角形状である本発明の筋交いユニットでは、例えば建物の壁面部の片側が傾斜しているような箇所に設けることができて、上記と同様に、水平耐力を高め、耐震性を強化でき、かつ、各ターンバックルを操作することにより容易に傾きや歪みを修正することができる。
【００１５】
また、四角形状の枠体を壁面部等に設けることができない箇所の場合には、１対のコ状枠体と、ターンバックルを備えた筋交い部材からなる本発明の筋交いユニットを設けることにより、上記と同様の作用効果を奏することができる。
【発明を実施するための最良の形態】
【００１６】
図１〜図２は本発明にかかる一例の筋交いユニットに関する図であって、図示の筋交いユニット１は、一対の縦軸部材２と、一対の横軸部材３と、ターンバックル４を備えた２本の筋交い部材５によって形成されている。
【００１７】
すなわち、上記の縦軸部材２並びに横軸部材３は、それぞれ横断面Ｌ形のアングル材や口字形等の鋼材であって、図示の例では縦軸部材２の方が横軸部材３よりも長い部材であり、矩形状の枠体１１が形成される。勿論、縦軸部材２と横軸部材３とは同一長さであってもよく、この場合は正方形の枠体１１が形成される。
【００１８】
上記の各縦軸部材２並びに各横軸部材３には、複数箇所に固定具であるボルト６を挿入する孔７、８が開けてある。勿論、本発明においては、この孔７、８は縦軸部材２または横軸部材３のいずれかの部材に開けた構成であってもよい。さらに、各縦軸部材２並びに各横軸部材３の端部には、両部材２、３の端部を係合させてボルト・ナット９で連結するためのボルト挿入孔（図示省略）が開けてある。
【００１９】
上記した構成からなる縦軸部材２並びに横軸部材３は、それぞれ連結する端部同士を直角に係合させてボルト挿入孔（図示省略）を一致させ、ボルト・ナット９でヒンジ接続し、矩形状の枠体１１を形成してある。
【００２０】
この枠体１１には、襷がけに筋交い部材５が設けてある。すなわち、各筋交い部材５の上・下端部１２、１３と、各縦軸部材２の上・下端部１４、１５には、合致する位置に夫々ボルト挿入孔（図示省略）が開けられていて、各筋交い部材５の上・下端部１２、１３は、ボルト・ナット１６によって、各縦軸部材２の上・下端部１４、１５に連結されている。各筋交い部材５の上・下端部１２、１３は、鋼板を所定形状に形成した部材によって構成されている。
【００２１】
また、各筋交い部材５は、途中にターンバックル４を備えている。すなわち、ターンバックル胴１７の一端部にはネジ軸１８がねじ合わされていて、このネジ軸１８の一端部１９は、上記した筋交い部材５の下端部１３に固着してある。一方、ターンバックル胴１７の他端部にはネジ軸２０がねじ合わされていて、このネジ軸２０の一端部２１は、上記した筋交い部材５の上端部１２に固着した軸部材２２の下端部に固着してある。そしてターンバックル胴１７の開口部２３に金属棒を挿入して左または右に回すことにより、軸部材２２を引いたりして、上記した枠体１１の形状を変化させることができる。
【００２２】
上記のような構成からなる本発明の筋交いユニット１(図２参照)にあっては、例えば、布基礎２４の上に土台２５が設けられ、土台２５の上に所定間隔を以って柱２６、２７が立てられ、これらの柱２６、２７を繋ぐ梁２８が設けられた建物の壁面部の構造箇所に設ける場合、枠体１１を土台２５と所定間隔を以って対向する柱２６、２７と梁２８とで囲繞される壁面空間３０に、枠体１１をはめ込む。枠体１１の各縦軸部材２は各柱２６、２７の内面に沿ってはめ込み、枠体１１の下部の横軸部材３は土台２５の上面に沿ってはめ込まれ、枠体１１の上部の横軸部材３は梁２８の下面に沿ってはめ込む。
【００２３】
この場合、土台２３には適宜間隔を以って上下方向に貫通孔３２が開けられていて、布基礎２４に下部を埋設した複数のアンカーボルト３１（または柱２６，２７よりに後から打ち込んだアンカーボルト「便宜上図中符合は３２とする。」）が、土台２３の貫通孔３２から上方に突出している。したがって、上記の埋設した各アンカーボルト３１は、枠体１１を上記の壁面空間３０にはめ込む際に、枠体１１の下部の横軸部材３の対応する各孔８に挿入して上方に突出する。この各アンカーボルト３１および後から打ち込んだアンカーボルト３１の突出した上部にナット３３を取り付けて、土台２３とともに枠体１１の下部の横軸部材３を布基礎２４に固定する。柱２６，２７の傍にアンカーボルト３１を打ち込むことにより、柱２６，２７の引き抜き力に対して効果的に対応して引き抜きを止めることができる。
【００２４】
また、枠体１１の両縦軸部材２の各孔７に対応する各柱２６、２７の箇所に貫通孔３４を開け、ボルト６・ナット２９で各縦軸部材２を各柱２６、２７に固定する。
【００２５】
同様にして、枠体１１の上部の横軸部材３の各孔８に対応する梁２８の箇所に貫通孔３５を開け、ボルト６・ナット３６でこの横軸部材３を梁２８に固定する。また、各筋交い部材５は、ターンバックル４を適宜調整して張りを調整しておく。このようにして筋交いユニット１を壁面空間３０に設けた後は、この柱２６、２７間の壁面空間３０に壁板や壁ボード等の壁面部材を設けて被い、筋交いユニット１を壁面部材で外から見えなくする。勿論、柱２６、２７は壁板や壁ボードで被わなくてもよく、木製の柱２６，２７の美感はそのまま外から認識することができる。このようにして本発明の筋交いユニット１を各壁面部等に設けて建物を構築する。
【００２６】
勿論、中古の建物についても、建物(家屋等)が傾いた等に本発明の筋交いユニット１を壁面部等に上記と同様にして設けることによって、建物全体や壁面部等の傾きを修正することができる。
【００２７】
このように本発明の筋交いユニット１を建物の壁面部等に設けておくことにより、地震や台風等によって建物が揺れて柱等に傾きや歪みが生じた場合には、壁面部材を外して中の筋交いユニット１のターンバックル４を回し、筋交い部材５の張力を調整することにより、建物全体の傾きを修正でき、また傾いたり歪んだりした柱や梁等を簡単に修正することができる。
また、一般的な筋交い構造に比べ、梁等に対する水平力に対してより大きな耐力を発揮することができる。
【００２８】
図３は、本発明にかかる他の例の筋交いユニット１(図中符合は便宜上、上記の例と同一の符合を使用する)を簡略に示した図であり、この例の筋交いユニット１は、上記した例と同様に、上記の例より長い１対の縦軸部材２と、この例では３本の横軸部材３とを互いにヒンジ接続して２つの四角枠部３７の連なるように形成した四角形状の枠体１１と、ターンバックル４を備えて上記の各四角枠部３７の対向する縦軸部材２（または横軸部材３）に、各端部を固定またはヒンジ接続する複数の筋交い部材５とを備えている。さらに、縦軸部材２および／または横軸部材３には固定具であるボルト（図示せず）を挿入する孔(図示せず)を備えている構成のものである。勿論、筋交いユニット１は、この例のように四角枠部３７を２つ連なる構成に限らず、３つ以上連なる構成であってもよい。
【００２９】
この例の筋交いユニット１では、建物における広い空間からなる壁面部分に設けることによって、外からの水平力を各筋交い部材５等に分散してより水平耐力を高め、耐震性を強化し、かつ、柱や梁等の傾きや歪みを各ターンバックル４を操作することにより容易に修正することができる。また、建物の間口の狭い箇所に、この例の筋交いユニット１を設けることによって、広い間口の箇所に設けた場合に比べ同等以上の耐力を発揮することができる。
【００３０】
また、図４（ａ）（ｂ）は本発明にかかる他の例の筋交いユニット１であって、図４（ａ）の枠体１１は変形四角形状の構成であり、図４（ｂ）は複数の四角枠部３７の上部に変形四角形状の四角枠部３７ａを有する構成である。個々の構成や連結構造は上記した例と同様であり説明を省略する。これらの筋交いユニット１にあっては、建物の上部が傾斜している壁面部に対して設けることができ、この壁面部の箇所における水平耐力を高め、耐震性を強化できる。勿論、柱や梁等の傾きや歪みは、上記した例と同様に各ターンバックルを操作することにより容易に修正することができる。
【００３１】
図５は本発明にかかるまた別の例の筋交いユニット１を示す図であって、この筋交いユニット１は、２本の縦軸部材２と１本の横軸部材３とをコ状にヒンジ接続して形成した１対のコ状枠体３８と、ターンバックル４を備えた２本の筋交い部材５とによって構成され、かつ、各コ状枠体３８を構成する縦軸部材２および／または横軸部材３に固定具であるボルトを挿入する複数の孔７、８を備えている。
【００３２】
この例の筋交いユニット１は、柱２６，２７の中間等に横杆４１が架け渡してあって四角形状の枠体を設けることができない壁面部等に設けるのに都合のよい構成のものである。例えば、上記したような土台２５と柱２６、２７と梁２８および横杆４１からなる壁面空間部３０に設ける場合は、土台２５の上面と両柱２６、２７の下部内面に各コ状枠体３８をはめ込み、アンカーボルト３１・ナット３３やボルト６・ナット２９で土台２５および両柱２６、２７に固定する。同様に、梁２８の下面と両柱２６、２７の上部内面にコ状枠体３８をはめ込み、ボルト６・ナット２９，３６で梁２８および両柱２６、２７に固定する。
【００３３】
また、各筋交い部材５は、上下の対峙するコ状枠体３８に対して襷がけにして両端部１２，１３をボルト・ナット１６で連結する。この筋交いユニット１でも、外からの水平力を分散して水平耐力を高め、耐震性を強化できる。勿論、柱や梁等の傾きや歪みを、各ターンバックルを操作することにより容易に修正することができる。
【図面の簡単な説明】
【００３４】
【図１】本発明の一例の筋交いユニットを示す説明図である。
【図２】本発明の一例の筋交いユニットを建物の壁面部に設けた状態の説明図である。
【図３】本発明の別の例の筋交いユニットを簡略に示した説明図である。
【図４】図４の（ａ）は本発明のまた別の例の筋交いユニットを簡略に示した説明図であり、図４の（ｂ）はさらに別の例の筋交いユニットを簡略に示した説明図である。
【図５】本発明の別の例の筋交いユニットを建物の壁面部に設けた状態の説明図である。
【符号の説明】
【００３５】
１    筋交いユニット
２    縦軸部材
３    横軸部材
４    ターンバックル
５    筋交い部材
６    ボルト
７    孔
８    孔
１１  枠体
３７  四角枠部
３８  コ状枠体
【図１】
2005315010.tif 000003
【図２】
2005315010.tif 000004
【図３】
2005315010.tif 000005
【図４】
2005315010.tif 000006
【図５】
2005315010.tif 000007